(57)【要約】【課題】着信履歴に残された見知らぬ番号に電話を掛けることに起因するトラブルを未然に回避することである。【解決手段】移動機１０は、呼出時間計測部１３と着呼関連情報格納部１４と表示部１８とを少なくとも備える。呼出時間計測部１３は、発呼元端末２０からの着呼の呼出時間を計測する。着呼関連情報格納部１４は、計測された呼出時間を、着呼に対応する発呼元番号と対応付けて格納する。表示部１８は、格納されている呼出時間と発呼元番号とを表示する。好適には、移動機１０は表示制御部１７を更に備え、表示制御部１７は、呼出時間が閾値よりも長い場合には着呼関連情報を表示部１８に表示させ、閾値以下である場合には表示させない制御を行う。【選択図】  図１
2004194241.tif 000002
【特許請求の範囲】
【請求項１】
着呼の呼出時間を計測する計測手段と、
前記計測手段により計測された呼出時間を、前記着呼に対応する発呼元番号と対応付けて格納する格納手段と、
前記格納手段に格納されている前記呼出時間と前記発呼元番号とを表示する表示手段と
を備える移動機。
【請求項２】
前記格納手段に格納されている呼出時間が、所与の時間よりも長い場合には前記呼出時間と前記発呼元番号とを前記表示手段に表示させ、所与の時間以下である場合には前記呼出時間と前記発呼元番号とを前記表示手段に表示させない制御を行う制御手段
を更に備える請求項１に記載の移動機。
【請求項３】
計測手段が、着呼の呼出時間を計測する計測ステップと、
表示手段が、格納手段に対応付けて格納されている前記着呼の呼出時間と、前記着呼に対応する発呼元番号とを表示する表示ステップと
を含む表示制御方法。
【請求項４】
表示制御手段が、前記格納手段に格納されている呼出時間が、所与の時間よりも長い場合には前記呼出時間と前記発呼元番号とを前記表示手段に表示させ、所与の時間以下である場合には前記呼出時間と前記発呼元番号とを前記表示手段に表示させない制御を行う制御ステップ
を更に含む請求項３に記載の表示制御方法。
【発明の詳細な説明】
【０００１】
【発明の属する技術分野】
本発明は、移動機、及び、表示制御方法に関する。
【０００２】
【従来の技術】
携帯電話を始めとする移動機は、他の移動機から着呼があると、その着呼に対応する発呼元番号を着信履歴としてメモリに格納する機能を有する。ユーザは、その格納された発呼元番号をディスプレイ等の表示部に表示させることによって、電話の発呼者を容易に知ることができる。また、ユーザは、必要に応じて、その発呼元番号を利用して発呼者に電話を掛けること（コールバック）ができる（例えば、特許文献１参照。）。
【０００３】
【特許文献１】
特開平６−１６４４７２号公報
【０００４】
【発明が解決しようとする課題】
しかしながら、上記従来技術では、以下に示す問題点があった。すなわち、近年、着信履歴を格納する機能を悪用する電話が横行している。一例としては、着信履歴に見知らぬ番号が残っており、その着信履歴を見たユーザがその番号に電話を掛けると、猥雑な案内テープが流れる（いわゆるワン切り）というものがある。この場合でも、電話を掛けただけで通常の通話料金以外の料金がユーザに課金されることはないが、例えば発信者番号を通知した状態で電話を掛けると、ユーザの電話番号が第三者に知られてしまい、無用のトラブルの原因となることが懸念される。
【０００５】
そこで、本発明の課題は、着信履歴に残された見知らぬ番号に電話を掛けることに起因するトラブルを未然に回避することである。
【０００６】
【課題を解決するための手段】
上記課題を解決するために、本発明に係る移動機は、着呼の呼出時間を計測する計測手段と、前記計測手段により計測された呼出時間を、前記着呼に対応する発呼元番号と対応付けて格納する格納手段と、前記格納手段に格納されている前記呼出時間と前記発呼元番号とを表示する表示手段とを備える。
【０００７】
本発明に係る表示制御方法は、計測手段が、着呼の呼出時間を計測する計測ステップと、表示手段が、格納手段に対応付けて格納されている前記着呼の呼出時間と、前記着呼に対応する発呼元番号とを表示する表示ステップとを含む。
【０００８】
これらの発明によれば、発呼元番号はもとより、該発呼元番号に対応する着呼の呼出時間が、着信履歴として表示される。したがって、移動機のユーザは、発呼元番号と呼出時間とを見ることにより、着呼が悪質な業者からのものであるか否かを簡易迅速に推定できる。その結果、着信履歴に残された見知らぬ番号に電話を掛けることに起因するトラブルを未然に回避することが可能となる。
【０００９】
より具体的には、本発明は、例えば悪質な業者が意図的に着信履歴に発呼元番号のみを残すことを目的として発呼する際の呼出時間が、０．５〜２秒程度と短いことに着目して為されたものである。本発明によれば、着信履歴に通常表示される発呼元番号に加えて、その発呼元からの呼出時間が格納手段に格納された後、発呼元番号及び呼出時間は、表示指示に応答して表示手段に表示される。したがって、移動機のユーザは、発呼元番号が見知らぬ番号で、かつ、呼出時間の短い（例えば１秒以下の）着呼に関しては、所望しない発呼元からの着呼であるものと判断できる。つまり、発呼元の良否の識別が容易になる。
【００１０】
なお、発呼元番号は、例えば発呼元の移動機の電話番号であるが、移動機のユーザが発呼元を特定可能であれば、必ずしも発呼元番号に限るものではない。すなわち、発呼元番号の代わりに、電話番号に対応付けて電話帳に登録された発呼元の名称を使用しても勿論よい。
【００１１】
本発明に係る移動機において好ましくは、前記格納手段に格納されている呼出時間が、所与の時間よりも長い場合には前記呼出時間と前記発呼元番号とを前記表示手段に表示させ、所与の時間以下である場合には前記呼出時間と前記発呼元番号とを前記表示手段に表示させない制御を行う制御手段を更に備える。
【００１２】
本発明に係る表示制御方法において好ましくは、表示制御手段が、前記格納手段に格納されている呼出時間が、所与の時間よりも長い場合には前記呼出時間と前記発呼元番号とを前記表示手段に表示させ、所与の時間以下である場合には前記呼出時間と前記発呼元番号とを前記表示手段に表示させない制御を行う制御ステップを更に含む。
【００１３】
これらの発明によれば、呼出時間が所与の時間以下である着呼に関しては、呼出時間及び発呼元番号を表示させない。悪質な業者からの着呼の呼出時間は通常短いので、その業者により意図的に着信履歴に残された発呼元番号を、移動機のユーザが見ることはない。その結果、着信履歴に残された見知らぬ番号に電話を掛けることに起因するトラブルを、より確実に回避することが可能となる。
【００１４】
【発明の実施の形態】
以下、例示のみの為に添付された図面を参照しながら、本発明の一実施形態について説明する。
まず、本実施形態における移動機１０について説明する。図１は、移動機１０の機能的構成を説明するためのブロック図である。図１に示す様に、移動機１０は、基地局Ｂと無線通信可能に構成されており、基地局Ｂ及びネットワークＮを介して、移動機１０宛に呼を発生した何れかの発呼元端末２０と通信を行う。
【００１５】
移動機１０は、例えば、音声通信機能とデータ通信機能とを併せ持った携帯電話であり、ＰＤＣ（Personal Digital Cellular）方式、ＣＤＭＡ（Code Division Multiple Access）方式など、適用される通信方式は任意である。
【００１６】
移動機１０は、機能的な構成要素として、着呼部１１と、着信通知部１２と、呼出時間計測部１３（計測手段に対応）と、着呼関連情報格納部１４（格納手段に対応）と、入力部１５と、閾値格納部１６と、表示制御部１７（表示制御手段に対応）と、表示部１８（表示手段に対応）とを備える。
【００１７】
ここで、着呼関連情報格納部１４と閾値格納部１６とは、物理的な構成要素としてのＥＥＰＲＯＭ（Electrically Erasable and Programmable Read Only Memory）等の内蔵メモリに対応する。表示部１８は、同じく物理的な構成要素としてのＬＣＤ（Liquid Crystal Display）等の表示装置に対応する。その他の構成要素である着呼部１１と、着信通知部１２と、呼出時間計測部１３と、入力部１５と、表示制御部１７とは、上記内蔵メモリに格納されたソフトウェアがＣＰＵ（Central Processing Unit）によって実行されることにより実現する。
【００１８】
以下、移動機１０の各構成要素について詳細に説明する。
着呼部１１は、基地局Ｂからの着呼処理を行う。詳細には、着呼部１１は、着呼の検知に伴って着信通知部１２に対して着信通知を指示する通常の着呼処理の他に、基地局Ｂから送信される発呼元番号を取得して呼出時間計測部１３に出力すると共に、その着呼の呼出開始及び呼出終了を呼出時間計測部１３に通知する。
【００１９】
着信通知部１２は、着信通知指示を受けると、移動機１０のユーザに着信を知らせるための着信通知処理を行う。着信通知指示とは、着呼部１１が着信通知部１２に着信通知処理を開始させるための契機となる信号である。着信通知処理としては、例えば、着信音の鳴動、バイブレータの動作、ライトの点滅、ディスプレイへの「着信有り」とのテキスト表示など、様々な処理が考えられる。
【００２０】
呼出時間計測部１３は、着呼の呼出開始が着呼部１１から通知されると、当該着呼に対応する呼出時間の計測を開始し、呼出終了が着呼部１１から通知されると、当該着呼に対応する呼出時間の計測を停止する。その結果、発生した着呼の呼出時間が計測される。呼出時間計測部１３は、計測された呼出時間、及び計測開始時刻を、発呼元番号と共に着呼関連情報格納部１４に出力する。なお、発呼元番号は、着呼部１１から着呼関連情報格納部１４に直接出力されるものとしてもよい。
【００２１】
着呼関連情報格納部１４は、呼出時間計測部１３から入力された呼出時間を、呼出時間の計測開始時刻及び発呼元番号と対応付けて格納する。以下、呼出時間、発呼元番号などの着呼に関する情報を纏めて「着呼関連情報」と記す。図２は、着呼関連情報格納部１４に格納される着呼関連情報の一例を示す図である。図２に示す様に、着呼関連情報格納部１４は、着呼時刻領域１４ａと、発呼元番号領域１４ｂと、呼出時間領域１４ｃとを有する。
【００２２】
着呼時刻領域１４ａには、呼出時間計測部１３により呼出時間の計測が開始された時刻（例えば、2002/09/04/18:43）が「着呼時刻」として格納される。発呼元番号領域１４ｂには、着呼の発呼元である端末の電話番号（例えば、090-1111-1111）が「発呼元番号」として格納される。呼出時間領域１４ｃには、呼出時間計測部１３から取得された呼出時間（例えば、５秒）が格納される。
【００２３】
なお、着呼関連情報格納部１４は、発呼元名称領域を更に有し、発呼元名称領域には、発呼元番号に対応する発呼元の名称（氏名を含む）や属性が格納される様にしてもよい。これらの着呼関連情報は、後述の着信履歴表示処理を経た上で、ユーザが閲覧できる様に表示部１８に表示される。
【００２４】
入力部１５は、ボタン及びダイヤルといった、ユーザが移動機１０に各種情報を入力する際のインタフェースである。詳細には、入力部１５は、ユーザの操作に従って、発信先の電話番号や氏名などの情報を入力する。入力部１５は、呼出時間に基づく着信履歴の表示制御を行うか否かの設定を、表示制御部１７に対して行う。また、入力部１５は、表示制御部１７に対して着信履歴の表示を指示する。更に、入力部１５は、後述する閾値（所与の時間に対応）の設定及び更新を行う。
【００２５】
閾値格納部１６は、着呼関連情報を表示部１８に表示するか否かの判断基準となる閾値が格納される。この閾値は、呼出時間の長短の境目を表す数値であり、例えば１秒であるが、入力部１５からの指示に従って適宜更新可能である。
【００２６】
表示制御部１７は、着信履歴の表示制御を行う設定が有効であり、かつ、着信履歴の表示が指示された場合に、閾値格納部１６に格納されている閾値を参照して、着呼関連情報の表示又は非表示を決定する。表示が決定した着呼関連情報は、着呼関連情報格納部１４から取得された後、この表示制御部１７を経由して表示部１８に表示される。例えば、閾値が１秒に設定されている場合には、表示制御部１７は、呼出時間が１秒を超えた着呼に対応する着呼関連情報を表示部１８に表示させ、呼出時間が１秒以下の着呼に対応する着呼関連情報を表示させない様に制御する。
【００２７】
表示部１８は、表示制御部１７から入力された着呼関連情報を表示する。この着呼関連情報には、上述した着呼時刻、発呼元番号、及び呼出時間が含まれており、これらの情報は、着呼毎に対応付けられて表示される。
【００２８】
次に、移動機１０の動作を説明し、併せて、本発明に係る表示制御方法について説明する。図３は、着信履歴の表示制御の前提処理として移動機１０により実行される着信履歴記憶処理を説明するためのフローチャートである。
【００２９】
まず、何れか一の発呼元端末２０が移動機１０宛に発呼すると、ネットワークＮを経由して基地局Ｂから移動機１０に呼が到達（着呼）する（Ｓ１）。
移動機１０の着呼部１１が着呼を検知すると、着呼部１１は発呼元番号をその着呼から取得し、呼出時間計測部１３に出力する（Ｓ２）。
呼出時間計測部１３は、その着呼に対応する呼出開始時刻（着呼時刻）及び呼出終了時刻を保持し、各時刻から呼出時間を計測する（Ｓ３）。
【００３０】
以下、図４（ａ）及び図４（ｂ）を参照して、呼出時間計測処理について詳述する。まず、図４（ａ）は、移動機１０が応答する前に発呼が中断された場合の呼出時間を説明するための図である。ネットワークＮから移動機１０に向けて、呼の発生を通知する信号（ＳＥＴＵＰ）が送信されると（Ｓ３１）、移動機１０は、発生した呼の到着を通知する信号（ＡＬＥＲＴ）をネットワークＮに返信する（Ｓ３２）。間もなく、ネットワークＮから移動機１０に向けて、発呼の中断を通知する信号（ＤＩＳＣＯＮＮＥＣＴ）が送信される（Ｓ３３）。この場合、ＡＬＥＲＴの発信時刻をｔ１とし、ＤＩＳＣＯＮＮＥＣＴの発信時刻をｔ２とすると、呼出時間Ｔは、数式ｔ２−ｔ１により表される。
【００３１】
これに対して、図４（ｂ）は、移動機１０が着呼に応答した場合の呼出時間を説明するための図である。ネットワークＮから移動機１０に向けて、呼の発生を通知する信号（ＳＥＴＵＰ）が送信されると（Ｓ３１）、移動機１０は、発生した呼の到着を通知する信号（ＡＬＥＲＴ）をネットワークＮに返信する（Ｓ３２）。その後、ＤＩＳＣＯＮＮＥＣＴの発信前に、移動機１０からネットワークＮに向けて、呼への応答を通知する信号（ＣＯＮＮＥＣＴ）が送信される（Ｓ３４）。
【００３２】
ＣＯＮＮＥＣＴがネットワークＮに到達した時点で、移動機１０とネットワークＮとの間に回線が確立され通話が可能となる。この場合、ＡＬＥＲＴの発信時刻をｔ３とし、ＣＯＮＮＥＣＴの発信時刻をｔ４とすると、呼出時間Ｔは、数式ｔ４−ｔ３により表される。
【００３３】
なお、呼出時間の計測処理に関しては、上記態様に限らず、例えば、移動機１０内のＣＰＵクロックをカウントする、具体的には、着信音が鳴り始めてから鳴り終わるまでの音源ＣＰＵクロックをカウントするといった態様を採ることも可能である。
【００３４】
図３に戻りＳ４では、Ｓ３で計測された呼出時間Ｔが、呼出時間計測部１３から出力され、発呼元番号及び着呼時刻と対応付けられて、着呼関連情報格納部１４内部の所定の領域に格納される。
【００３５】
続いて、図５を参照して、移動機１０により実行される着信履歴表示処理を説明する。表示制御部１７は、着信履歴の表示制御が設定されているか否かを判定する（Ｔ１）。判定の結果、着信履歴の表示制御が有効に設定されている場合には（Ｔ１；Ｙｅｓ）、表示制御部１７は、呼出時間に応じた着呼関連情報の表示制御を行うべく、入力部１５からの着信履歴表示指示を待機する（Ｔ２）。
【００３６】
表示制御部１７は、着信履歴の表示指示を検知すると（Ｔ２；Ｙｅｓ）、閾値格納部１６に格納されている閾値を取得する（Ｔ３）。
次いで、表示制御部１７は、着呼関連情報格納部１４から着呼の呼出時間を取得し、当該呼出時間とＴ３にて取得された閾値との大小を比較する（Ｔ４）。当該比較の結果、呼出時間が閾値よりも大きい場合には、着呼が不審な発呼元からのものではないと予測されるので、表示制御部１７は、着呼関連情報の表示を許可し、発呼元番号や着呼時刻と共に呼出時間を表示部１８に表示させる（Ｔ５）。このとき表示される画面の一例を図６（ａ）に示す。
【００３７】
一方、呼出時間が閾値以下の場合には（図５のＴ４；Ｎｏ）、着呼が不審な発呼元からのものであると予測されるので、表示制御部１７は、着呼関連情報の表示を禁止し、着信履歴が存在しない旨のメッセージを表示部１８に表示させる（Ｔ６）。このとき表示される画面の一例を図６（ｂ）に示す。
なお、呼出時間が閾値以下の場合であっても、発呼元番号が電話帳に既に登録されている着呼関連情報に関しては、例外的に表示するものとしてもよい。
【００３８】
なお、Ｔ１における判定の結果、着信履歴の表示制御が設定されていない場合には（Ｔ１；Ｎｏ）、Ｔ２〜Ｔ４の各処理を省略してＴ５に移行する。すなわち、表示制御部１７は、呼出時間の長短を問わず、全ての着呼に対応する着呼関連情報を表示部１８に表示させる。かかる処理は、着呼があり着信通知があったにも拘わらず着呼関連情報を見ることができないことに抵抗を感じるユーザの存在を考慮して、表示制御の実行を任意に選択可能としたものである。
【００３９】
続いて、本実施形態の作用及び効果について説明する。以上説明した様に、本発明に係る移動機１０によれば、発呼元番号はもとより、該発呼元番号に対応する着呼の呼出時間が、着信履歴として表示される。したがって、移動機１０のユーザは、発呼元番号と呼出時間とを見ることにより、着呼が悪質な業者からのものであるか否かを簡易迅速に推定できる。その結果、着信履歴に残された見知らぬ番号に電話を掛けることに起因するトラブルを未然に回避することが可能となる。
【００４０】
なお、本発明は、上述した実施の形態に限定されるものではなく、その趣旨を逸脱しない範囲において、適宜変形態様を採ることも可能である。例えば、上記実施の形態では、発生した着呼に関しては、着呼部１１は、その呼出時間を問わず着信通知を行うものとしたが、呼出時間が設定値（例えば１秒）を超えた時点で初めて着信通知を開始する着信通知制御機能を追加してもよい。
【００４１】
すなわち、閾値格納部１６は、着信履歴の表示制御用の閾値に加えて着信通知制御用の閾値を更に格納し、呼出時間計測部１３は、呼出時間が当該閾値を超えた（設定時間が経過した）時点で、着信通知部１２に対して着信通知指示を出力する。着信通知部１２は、着信通知指示が入力されると、着信通知処理の実行を開始する。なお、上記各閾値は、例えば共に１秒という様に同一の値であってもよいし、異なる値であってもよい。
【００４２】
かかる着信通知制御機能を追加することにより、呼出時間が予め定められた時間以下の着呼に関してまで、着信通知処理が一律に実行されてしまうことが防止される。その結果、移動機１０のユーザは、不審な電話に対する無意味な着信操作や着信中止操作などの煩わしさから解放される。
【００４３】
なお、かかる着信通知制御は、移動機１０に対する全ての着信について行われるようにしてもよいし、予め登録されていない発呼元番号（未登録発呼元番号）からの着信についてのみ行われるようにしてもよい。
【００４４】
更に、上記実施の形態においては、移動機１０は、着呼に対応する呼出時間を計測し、この呼出時間の長短に基づいて着信履歴の表示を制御するものとしたが、呼出回数を計数し、この呼出回数の多少に基づいて着信履歴の表示を制御するという変形態様を採ることも可能である。
【００４５】
このような態様を採ることによっても、発呼元番号に加えて、当該発呼元番号に対応する着呼の呼出回数が、着信履歴として表示される。したがって、移動機１０のユーザは、発呼元番号と呼出回数とを見ることにより、着呼が悪質な業者からのものであるか否かを簡易迅速に推定できる。その結果、着信履歴に残された見知らぬ番号に電話を掛けることに起因するトラブルを未然に回避することが可能となる。なお、この場合、電話帳に登録済の番号に関しては呼出回数に関係なく着信履歴を表示するものとしてもよい。
【００４６】
また、上記変形態様においても、閾値格納部１６は、着信履歴の表示制御用の閾値に加えて着信通知制御用の閾値を格納すると共に、呼出時間計測部１３は、呼出時間が当該閾値を超えた時点で初めて、着信通知部に対して着信通知指示を出力する着信通知制御機能を追加してもよい。
【００４７】
【発明の効果】
本発明によれば、発呼元番号はもとより、当該発呼元番号に対応する着呼の呼出時間が、着信履歴として表示される。したがって、移動機のユーザは、発呼元番号と呼出時間とに基づいて、着呼が悪質な業者からのものであるか否かを簡易迅速に推定できる。したがって、本発明の課題である、着信履歴に残された見知らぬ番号に電話を掛けることに起因するトラブルを未然に回避することが可能となる。
【図面の簡単な説明】
【図１】移動機の機能的構成を説明するためのブロック図である。
【図２】移動機の着呼関連情報格納部に格納される着呼関連情報の一例を示す図である。
【図３】移動機により実行される着信履歴記憶処理を説明するためのフローチャートである。
【図４】図４（ａ）は、移動機が応答する前に発呼が中断された場合の呼出時間を説明するための図であり、図４（ｂ）は、移動機が着呼に応答した場合の呼出時間を説明するための図である。
【図５】移動機が着信履歴の表示制御を行う方法を説明するためのフローチャートである。
【図６】図６（ａ）は、着信履歴がある場合に表示される着呼関連情報の一例を示す図であり、図６（ｂ）は、着信履歴がない場合に表示されるメッセージの一例を示す図である。
【符号の説明】
１０…移動機、１１…着呼部、１２…着信通知部、１３…呼出時間計測部、１４…着呼関連情報格納部、１５…入力部、１６…閾値格納部、１７…表示制御部、１８…表示部、２０…発呼元端末、Ｂ…基地局、Ｎ…ネットワーク
【図１】
2004194241.tif 000003
【図２】
2004194241.tif 000004
【図３】
2004194241.tif 000005
【図４】
2004194241.tif 000006
【図５】
2004194241.tif 000007
【図６】
2004194241.tif 000008